(57)【要約】【課題】受信感度を適切に報知し、中継局の切換を容易に想定すること。【解決手段】本発明にかかる報知装置１００は、検出部１０１と、算出部１０２と、報知部１０３と、取得部１０４と、検知部１０５と、を備え、検出部１０１は、移動体によって受信されるコンテンツを中継する中継局を検出する。算出部１０２は、検出部１０１によって検出された中継局を介して、移動体に受信されるコンテンツの受信感度を算出する。そして、報知部１０３は、算出部１０２によって算出された受信感度を報知する。【選択図】図１
2008158783.tif 000002
【特許請求の範囲】
【請求項１】
移動体によって受信されるコンテンツを中継する中継局を検出する検出手段と、
前記検出手段によって検出された中継局を介して、移動体に受信されるコンテンツの受信感度を算出する算出手段と、
前記算出手段によって算出された受信感度を報知する報知手段と、
を備えることを特徴とする報知装置。
【請求項２】
移動体が移動する経路に関する経路情報を取得する取得手段をさらに備え、
前記検出手段は、
前記取得手段によって取得された経路情報に基づいて、前記経路上で前記移動体によって受信されるコンテンツを中継する中継局を検出し、
前記算出手段は、
前記中継局の地点情報と、前記経路上における移動体の地点情報とに基づいて前記受信感度を算出することを特徴とする請求項１に記載の報知装置。
【請求項３】
前記報知手段は、
前記経路情報より、少なくとも前記移動体が前記経路上を移動する予定時刻情報および予定地点情報のいずれか一方と、前記受信感度とを対応づけて報知することを特徴とする請求項２に記載の報知装置。
【請求項４】
前記報知手段は、
前記移動体によって受信される前記コンテンツの再生予定情報と、前記受信感度とを対応づけて報知することを特徴とする請求項２または３に記載の報知装置。
【請求項５】
前記報知手段は、
前記受信感度が所定のしきい値よりも低い地点を報知することを特徴とする請求項１〜４のいずれか一つに記載の報知装置
【請求項６】
前記移動体が前記経路を移動中に受信されるコンテンツの受信感度を検知する検知手段をさらに備え、
前記報知手段は、
前記算出手段によって算出された受信感度と、前記検知手段によって検知された受信感度とが所定の値以上乖離した場合、乖離した旨を報知することを特徴とする請求項１〜５のいずれか一つに記載の報知装置。
【請求項７】
移動体によって受信されるコンテンツを中継する中継局を検出する検出工程と、
前記検出工程によって検出された中継局を介して、移動体に受信されるコンテンツの受信感度を算出する算出工程と、
前記算出工程によって算出された受信感度を報知する報知工程と、
を含むことを特徴とする報知方法。
【請求項８】
請求項７に記載の報知方法をコンピュータに実行させることを特徴とする報知プログラム。
【請求項９】
請求項８に記載の報知プログラムを記録したことを特徴とするコンピュータに読み取り可能な記録媒体。
【発明の詳細な説明】
【技術分野】
【０００１】
この発明は、各種情報を報知する報知装置、報知方法、報知プログラムおよびコンピュータに読み取り可能な記録媒体に関する。ただし、この発明の利用は、上述した報知装置、報知方法、報知プログラムおよびコンピュータに読み取り可能な記録媒体には限られない。
【背景技術】
【０００２】
従来、車両などの移動体に搭載された車載機器によって、地上波デジタル放送やアナログテレビ放送やＦＭラジオ放送などによるコンテンツを受信する場合、車両が走行中であっても、コンテンツを中継する中継局を介して、コンテンツを受信することができる。
【０００３】
近年では、移動体の移動に伴って現在受信している番組の受信エリアをはずれてしまう場合であっても、複数のチューナによって受信される同一番組の受信レベルを監視することによって、同一番組を受信可能にする提案がされている（たとえば、下記特許文献１参照。）。
【０００４】
【特許文献１】特開２００１−２８５１０２号公報
【発明の開示】
【発明が解決しようとする課題】
【０００５】
しかしながら、上記従来技術では、利用者が番組を視聴中であっても、同一番組について受信レベルが高い中継局があると番組の視聴を一旦遮断して、中継局を切り換える構成である。したがって、利用者が中継局を切り換える必要があったのか分からないまま、中継局が切り換わることとなり、利用者は、戸惑ってしまうという問題が一例として挙げられる。
【０００６】
特に、現在受信している番組が視聴可能な状態である場合に中継局を切り換えると、無駄に番組の視聴が遮断されるため、番組を視聴している利用者は戸惑うばかりか、不快感を抱くこととなってしまう。
【課題を解決するための手段】
【０００７】
上述した課題を解決し、目的を達成するため、請求項１の発明にかかる報知装置は、移動体によって受信されるコンテンツを中継する中継局を検出する検出手段と、前記検出手段によって検出された中継局を介して、移動体に受信されるコンテンツの受信感度を算出する算出手段と、前記算出手段によって算出された受信感度を報知する報知手段と、を備えることを特徴とする。
【０００８】
また、請求項７の発明にかかる報知方法は、移動体によって受信されるコンテンツを中継する中継局を検出する検出工程と、前記検出工程によって検出された中継局を介して、移動体に受信されるコンテンツの受信感度を算出する算出工程と、前記算出工程によって算出された受信感度を報知する報知工程と、を含むことを特徴とする。
【０００９】
また、請求項８の発明にかかる報知プログラムは、請求項７に記載の報知方法をコンピュータに実行させることを特徴とする。
【００１０】
また、請求項９の発明にかかるコンピュータに読み取り可能な記録媒体は、請求項８に記載の報知プログラムを記録したことを特徴とする。
【発明を実施するための最良の形態】
【００１１】
以下に添付図面を参照して、この発明にかかる報知装置、報知方法、報知プログラムおよびコンピュータに読み取り可能な記録媒体の好適な実施の形態を詳細に説明する。
【００１２】
（実施の形態）
（報知装置の機能的構成）
図１を用いて、本実施の形態にかかる報知装置の機能的構成について説明する。図１は、本実施の形態にかかる報知装置の機能的構成の一例を示すブロック図である。
【００１３】
図１において、報知装置１００は、検出部１０１と、算出部１０２と、報知部１０３と、取得部１０４と、検知部１０５と、から構成されている。
【００１４】
検出部１０１は、移動体によって受信されるコンテンツを中継する中継局を検出する。具体的には、たとえば、検出部１０１は、地上波デジタル放送やアナログテレビ放送やＦＭラジオ放送などによって移動体に配信されるコンテンツを中継可能な中継局を検出する。
【００１５】
また、検出部１０１は、後述する取得部１０４によって取得された経路情報に基づいて、経路上で移動体によって受信されるコンテンツを中継する中継局を検出することとしてもよい。
【００１６】
算出部１０２は、検出部１０１によって検出された中継局を介して、移動体に受信されるコンテンツの受信感度を算出する。具体的には、たとえば、算出部１０２は、中継局の地点情報と、経路上における移動体の地点情報とに基づいて受信感度を算出することとしてもよい。受信感度は、たとえば、コンテンツを配信する電波の受信強度（レベル）や通信の品質などである。
【００１７】
より具体的には、たとえば、算出部１０２は、経路上を移動する場合の移動体と、中継局との間の距離や、障害物などに基づいて、受信感度を算出することとしてもよい。
【００１８】
報知部１０３は、算出部１０２によって算出された受信感度を報知する。具体的には、たとえば、報知部１０３は、音声出力や表示出力などによって報知することとしてもよく、少なくとも移動体が経路上を移動する予定時刻情報および予定地点情報のいずれか一方と、受信感度とを対応づけて報知したり、移動体によって受信されるコンテンツの再生予定情報と、受信感度とを対応づけて報知することとしてもよい。
【００１９】
また、報知部１０３は、受信感度が所定のしきい値よりも低い地点を報知することとしてもよいし、算出部１０２によって算出された受信感度と、後述する検知部１０５によって検知された受信感度とが所定の値以上乖離した場合、乖離した旨を報知することとしてもよい。
【００２０】
取得部１０４は、移動体が移動する経路に関する経路情報を取得する。具体的には、たとえば、取得部１０４は、移動体の現在地点（出発地点）や目的地点（立ち寄り地点）などの地点情報と、地図情報とに応じて探索された経路の情報を取得する構成で、自装置によって探索したり、外部機器から取得したりすることとしてもよい。
【００２１】
検知部１０５は、移動体が経路を移動中に受信されるコンテンツの受信感度を検知する。具体的には、たとえば、検知部１０５は、移動体が移動中に配信されるコンテンツを中継する中継局からのコンテンツの受信感度を検知する。
【００２２】
また、報知装置１００は、たとえば、図示はしないが任意の中継局を介して受信されたコンテンツを再生部によって再生したり、コンテンツを中継する中継局を切り換えたりする構成でもよい。中継局の切換は、たとえば、利用者が図示しない操作部を操作することによっておこなう構成でもよい。
【００２３】
また、コンテンツを再生部によって再生する場合、報知部１０３は、再生されているコンテンツ中における特定の内容を示す特定コンテンツの再生中に報知することとしてもよい。具体的には、たとえば、特定コンテンツは、テレビ番組などを再生している場合であれば、ＣＭ（コマーシャル）であったり、スポーツ番組などを再生している場合であれば、音声が一定時間途切れる場面であったりしてもよい。
【００２４】
すなわち、再生されているコンテンツ中において、利用者にとって重要度の低い場面において報知することによって、コンテンツを視聴している利用者に不快感を与えることなく、適切に受信感度を報知することができる。
【００２５】
（報知装置の処理の内容）
つぎに、図２を用いて、本実施の形態にかかる報知装置１００の処理の内容について説明する。図２は、本実施の形態にかかる報知装置の処理の内容を示すフローチャートである。図２のフローチャートにおいて、まず、検出部１０１によって、移動体によって受信されるコンテンツを中継する中継局を検出したか否かを判断する（ステップＳ２０１）。
【００２６】
ステップＳ２０１において、中継局を検出するのを待って、検出した場合（ステップＳ２０１：Ｙｅｓ）は、算出部１０２によって、ステップＳ２０１において検出された中継局を介して、移動体に受信されるコンテンツの受信感度を算出する（ステップＳ２０２）。
【００２７】
そして、報知部１０３によって、ステップＳ２０２において算出された受信感度を報知して（ステップＳ２０３）、一連の処理を終了する。
【００２８】
また、図２のフローチャートでは説明を省略したが、ステップＳ２０１における中継局の検出は、取得部１０４によって取得された経路情報に基づいて、経路上で移動体によって受信されるコンテンツを中継する中継局を検出することとしてもよい。さらに、ステップＳ２０２における受信感度の算出は、中継局の地点情報と、経路上における移動体の地点情報とに基づいて受信感度を算出することとなる。
【００２９】
なお、本発明の報知装置、報知方法、報知プログラムおよびコンピュータに読み取り可能な記録媒体は、図１に示した報知装置１００によって、その機能を実現することとしたが、報知装置１００に限ることはなく、図１に示す機能部を備える構成とすれば、複数の装置であってもよい。各機能部を異なる装置として接続する場合、装置間の接続は、たとえば、有線、無線を問わず、Ｂｌｕｅｔｏｏｔｈ（登録商標）などによって通信をおこなって接続することとしてもよい。
【００３０】
以上説明したように、本実施の形態にかかる報知装置、報知方法、報知プログラムおよびコンピュータに読み取り可能な記録媒体によれば、利用者に中継局の受信感度を適切に報知することができるため、利用者は、中継局の切り換えを容易に想定することができる。
【実施例】
【００３１】
以下に、本発明の実施例について説明する。本実施例では、たとえば、車両（四輪車、二輪車を含む）などの移動体に搭載されるナビゲーション装置によって、本発明の報知装置を実施した場合の一例について説明する。
【００３２】
（テレビ番組の中継の概要）
まず、図３を用いて、本実施例にかかるテレビ番組の中継の概要について説明する。図３は、本実施例にかかるテレビ番組の中継の概要を示す説明図である。
【００３３】
図３において、放送局３０１から配信されるコンテンツは、中継局３０２（３０２ａ，３０２ｂ）を介して車両３０３における受信アンテナ３０４によって受信される。
【００３４】
放送局３０１は、地上波デジタル放送やアナログテレビ放送やＦＭラジオ放送などによってコンテンツを配信し、本実施例では、車両３０３に対してテレビ番組の配信をおこなう構成である。
【００３５】
中継局３０２（３０２ａ，３０２ｂ）は、車両３０３の受信アンテナ３０４に対して、放送局３０１から配信されるテレビ番組を中継する。
【００３６】
車両３０３は、受信アンテナ３０４によって、中継局３０２（３０２ａ，３０２ｂ）を介して放送局３０１から配信されるテレビ番組を受信し、図示しないナビゲーション装置のディスプレイやスピーカなどによって、受信したテレビ番組を再生する。
【００３７】
また、車両３０３は、ナビゲーション装置によって算出される、テレビ番組の受信感度を利用者に報知する。詳細は、図５を用いて説明するが、ナビゲーション装置は、たとえば、受信アンテナ３０４によって受信されるテレビ番組の受信感度を算出し、ナビゲーション装置を搭載した車両３０３の経路上の受信感度を示す受信状態バーを表示する。
【００３８】
受信感度は、たとえば、コンテンツを配信する電波の受信強度（レベル）や通信の品質などであり、経路上を走行する場合の車両３０３と、中継局３０２（３０２ａ，３０２ｂ）との間の距離や、障害物に有無などに基づいて算出される。
【００３９】
より具体的には、たとえば、受信感度は、任意の中継局３０２ｂを介してテレビ番組を中継する場合は、経路上を走行する場合の車両３０３と、任意の中継局３０２ｂとの間の距離や、障害物に有無などに基づいて算出される。
【００４０】
受信状態バーの表示は、たとえば、ナビゲーション装置によって設定された経路上における出発地点からの距離や各地点への到達予定時刻や再生するテレビ番組の内容などともに表示する構成でもよい。さらに、受信状態バーの表示によって、中継局３０２（３０２ａ，３０２ｂ）の切り換えを推奨する地点を報知することとしてもよい。具体的には、たとえば、任意の中継局３０２ｂにおける受信感度を示す受信状態バー中で、受信感度が所定のしきい値以下となる地点や、他の中継局３０２ａの受信感度の方が高くなる地点などを報知してもよい。
【００４１】
このような受信状態バーによって、利用者は、受信感度を経路上の各地点や時刻やテレビ番組に応じて容易に把握することができ、自身で適切な対応を選択することができる。
【００４２】
また、受信状態バーの表示は、ナビゲーション装置によって車両３０３が走行する経路が設定された時点で表示してもよい。経路の設定時に受信状態バーを表示することで、利用者は、これから走行する経路上の受信感度を容易に把握することができるため、自身の判断によって適切な対応の準備を心がけることができる。
【００４３】
具体的には、たとえば、利用者による対応は、中継局３０２（３０２ａ，３０２ｂ）を切り換えたり、テレビ番組における重要な場面を見逃さないよう走行あるいは停車したりすることでもよい。
【００４４】
また、表示した受信状態バーと、実際の走行による受信感度が所定以上ずれた場合、謝罪を示すメッセージを出力してもよい。謝罪を示すメッセージによって、利用者は、想定外の受信感度にも不快感や戸惑いを抱くことがなくなる。謝罪を示すメッセージは、たとえば、テレビ番組の終了後に出力することとしてもよく、このようにすれば、利用者のテレビ番組の視聴を妨げることもなくすことができる。
【００４５】
また、受信状態バーの表示は、走行中に再生されているテレビ番組中の特定の内容を示す特定場面に応じて表示してもよい。特定場面は、たとえば、テレビ番組中のＣＭなどでもよく、テレビ番組中の字幕の有無によってＣＭを判断してもよい。あるいは、特定場面は、たとえば、スポーツに関するテレビ番組中の膠着状態などでもよく、音声が所定時間以上途切れた場合に膠着状態を判断してもよい。このようにすることで、利用者にとって重要度の低い特定場面で適切に受信状態バーを表示することができ、受信状態バーによって、利用者にとって重要度の高い場面を阻害することがなくなる。
【００４６】
また、ナビゲーション装置は、中継局３０２（３０２ａ，３０２ｂ）を切り換えるための案内情報を出力する構成でもよい。そして、案内情報を出力した結果、入力される切換を許可する許可情報によって、中継局３０２（３０２ａ，３０２ｂ）を切り換えてテレビ番組を受信することとしてもよい。許可情報は、たとえば、利用者が図示しない操作部を操作することによって入力される構成でもよい。
【００４７】
中継局３０２（３０２ａ，３０２ｂ）の切換は、たとえば、任意の中継局３０２ｂを介して受信しているテレビ番組を再生している場合、受信アンテナ３０４によって中継局３０２（３０２ａ，３０２ｂ）を介して受信されるテレビ番組の受信感度を検知する。受信感度は、たとえば、テレビ番組の放送波の受信強度（レベル）や通信の品質などである。
【００４８】
そして、中継局３０２（３０２ａ，３０２ｂ）の受信感度に基づいて、任意の中継局３０２ｂの受信感度よりも中継局３０２ａの受信感度が高くなった場合、利用者に、中継局３０２（３０２ａ，３０２ｂ）の切換を促す案内情報を出力する。具体的には、案内情報は、表示出力や音声出力などでもよく、切換の有用性を示すメッセージなどでもよい。
【００４９】
また、案内情報の出力は、任意の中継局３０２ｂから受信されるテレビ番組の受信感度が所定のしきい値よりも低下して、任意の中継局３０２ｂの受信感度よりも中継局３０２ａの受信感度が高くなった場合におこなう構成でもよい。すなわち、任意の中継局３０２ｂから受信されるテレビ番組の受信感度が一定以上であり、テレビ番組の視聴に支障をきたさない場合は、むやみに案内情報を出力しなくてもよい。
【００５０】
さらに、案内情報の出力は、テレビ番組における特定の内容を示す特定場面に応じて出力することとしてもよい。特定場面は、たとえば、テレビ番組中のＣＭなどでもよく、テレビ番組中の字幕の有無によってＣＭを判断してもよい。あるいは、特定場面は、たとえば、スポーツに関するテレビ番組中の膠着状態などでもよく、音声が所定時間以上途切れた場合に膠着状態を判断してもよい。このようにすることで、利用者にとって重要度の低い特定の場面で適切に案内情報を出力することができ、案内情報の出力によって、利用者にとって重要度の高い場面を阻害することがなくなる。
【００５１】
また、任意の中継局３０２ｂから受信されるテレビ番組が再生できなくなった場合、テレビ番組を中継する中継局３０２（３０２ａ，３０２ｂ）を切り換えることとしてもよい。すなわち、中継局３０２（３０２ａ，３０２ｂ）を切り換える際におけるテレビ番組の再生の遮断を気にするまでもなく、テレビ番組が再生不能（視聴が困難）な場合には、中継局３０２（３０２ａ，３０２ｂ）を切り換えることができる。
【００５２】
上述したように、受信状態バーと、案内情報とによって、車両３０３が走行する経路上での中継局３０２（３０２ａ，３０２ｂ）の切換について、利用者は、適切かつ容易に受信感度を把握するとともに、自身の最適な対応をとることができる。
【００５３】
（ナビゲーション装置のハードウェア構成）
つぎに、図４を用いて、本実施例にかかるナビゲーション装置のハードウェア構成について説明する。図４は、本実施例にかかるナビゲーション装置のハードウェア構成の一例を示すブロック図である。
【００５４】
図４において、ナビゲーション装置４００は、たとえば、図３に示した車両３０３などの移動体に搭載されており、ＣＰＵ４０１と、ＲＯＭ４０２と、ＲＡＭ４０３と、磁気ディスクドライブ４０４と、磁気ディスク４０５と、光ディスクドライブ４０６と、光ディスク４０７と、音声Ｉ／Ｆ（インターフェース）４０８と、スピーカ４０９と、入力デバイス４１０と、映像Ｉ／Ｆ４１１と、ディスプレイ４１２と、通信Ｉ／Ｆ４１３と、ＧＰＳユニット４１４と、各種センサ４１５と、を備えている。また、各構成部４０１〜４１５はバス４２０によってそれぞれ接続されている。
【００５５】
まず、ＣＰＵ４０１は、ナビゲーション装置４００の全体の制御を司る。ＲＯＭ４０２は、ブートプログラム、経路探索プログラム、経路誘導プログラム、音声生成プログラム、地図情報表示プログラムなどのプログラムを記録している。また、ＲＡＭ４０３は、ＣＰＵ３０１のワークエリアとして使用される。
【００５６】
経路探索プログラムは、後述する磁気ディスク４０５に記録されている地図情報などを利用して、出発地点から目的地点までの最適な経路を探索させる。ここで、最適な経路とは、目的地点までの最短（あるいは最速）経路や利用者が指定した条件に最も合致する経路などである。
【００５７】
経路誘導プログラムは、経路探索プログラムを実行することによって探索された誘導経路情報、現在地点算出プログラムを実行することによって算出された車両の現在地点情報、後述する磁気ディスク４０５から読み出された地図情報に基づいて、リアルタイムな経路誘導情報の生成をおこなわせる。経路誘導プログラムを実行することによって生成された経路誘導情報は、ＣＰＵ４０１を介して音声Ｉ／Ｆ４０８や映像Ｉ／Ｆ４１１へ出力される。
【００５８】
音声生成プログラムは、パターンに対応したトーンと音声の情報を生成させる。すなわち、経路誘導プログラムを実行することによって生成された経路誘導情報に基づいて、案内ポイントに対応した仮想音源の設定と音声ガイダンス情報の生成をおこなわせる。生成された音声ガイダンス情報は、ＣＰＵ４０１を介して音声Ｉ／Ｆ４０８へ出力される。
【００５９】
表示制御プログラムは、映像Ｉ／Ｆ４１１によってディスプレイ４１２に表示する地図情報やコンテンツの表示形式を決定させ、決定された表示形式によって地図情報やコンテンツをディスプレイ４１２に表示させる。
【００６０】
磁気ディスクドライブ４０４は、ＣＰＵ４０１の制御にしたがって磁気ディスク４０５に対するデータの読み取り／書き込みを制御する。磁気ディスク４０５は、磁気ディスクドライブ４０４の制御で書き込まれたデータを記録する。磁気ディスク４０５としては、たとえば、ＨＤ（ハードディスク）やＦＤ（フレキシブルディスク）を用いることができる。
【００６１】
磁気ディスク４０５に記録される情報の一例として、経路探索・経路誘導などに用いる地図情報が挙げられる。地図情報は、建物、河川、地表面などの地物（フィーチャ）をあらわす背景データと、道路の形状をあらわす道路形状データとを有しており、ディスプレイ４１２の表示画面において２次元または３次元に描画される。
【００６２】
なお、本実施例では地図情報を磁気ディスク４０５に記録するようにしたが、後述する光ディスク４０７に記録するようにしてもよい。また、地図情報は、ナビゲーション装置４００のハードウェアと一体に設けられているものに限って記録されているものではなく、ナビゲーション装置４００外部に設けられていてもよい。その場合、ナビゲーション装置４００は、たとえば、通信Ｉ／Ｆ４１３を通じて、ネットワークを介して地図情報を取得する。取得された地図情報はＲＡＭ４０３などに記憶される。
【００６３】
光ディスクドライブ４０６は、ＣＰＵ４０１の制御にしたがって光ディスク４０７に対するデータの読み取り／書き込みを制御する。光ディスク４０７は、光ディスクドライブ４０６の制御にしたがってデータの読み出される着脱自在な記録媒体である。光ディスク４０７は、書き込み可能な記録媒体を利用することもできる。また、この着脱自在な記録媒体として、光ディスク４０７のほか、ＭＯ、メモリカードなどであってもよい。
【００６４】
音声Ｉ／Ｆ４０８は、音声出力用のスピーカ４０９に接続され、スピーカ４０９からは音声が出力される。
【００６５】
入力デバイス４１０は、文字、数値、各種指示などの入力のための複数のキーを備えたリモコン、キーボード、マウス、タッチパネルなどが挙げられる。
【００６６】
映像Ｉ／Ｆ４１１は、ディスプレイ４１２と接続される。映像Ｉ／Ｆ４１１は、具体的には、たとえば、ディスプレイ４１２全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ４１２を表示制御する制御ＩＣなどによって構成される。
【００６７】
ディスプレイ４１２には、アイコン、カーソル、メニュー、ウインドウ、あるいは文字や画像などの各種データが表示される。このディスプレイ４１２は、たとえば、ＣＲＴ、ＴＦＴ液晶ディスプレイ、プラズマディスプレイなどを採用することができる。また、ディスプレイ４１２は、車両に複数備えられていてもよく、たとえば、運転者に対するものと後部座席に着座する搭乗者に対するものなどである。
【００６８】
通信Ｉ／Ｆ４１３は、無線を介してネットワークに接続され、ナビゲーション装置４００とＣＰＵ４０１とのインターフェースとして機能する。通信Ｉ／Ｆ４１３は、さらに、無線を介してインターネットなどの通信網に接続され、この通信網とＣＰＵ４０１とのインターフェースとしても機能する。
【００６９】
通信網には、ＬＡＮ、ＷＡＮ、公衆回線網や携帯電話網などがある。具体的には、通信Ｉ／Ｆ４１３は、たとえば、図３に示した受信アンテナ３０４などでもよく、地上波デジタル放送やアナログテレビ放送やＦＭラジオ放送などを受信可能なチューナ、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）／ビーコンレシーバ、無線ナビゲーション装置、およびその他のナビゲーション装置によって構成され、ＶＩＣＳセンターから配信される渋滞や交通規制などの道路交通情報を取得する。なお、ＶＩＣＳは登録商標である。
【００７０】
ＧＰＳユニット４１４は、ＧＰＳ衛星からの電波を受信し、車両の現在地点を示す情報を出力する。ＧＰＳユニット４１４の出力情報は、後述する各種センサ４１５の出力値とともに、ＣＰＵ４０１による車両の現在地点の算出に際して利用される。現在地点を示す情報は、たとえば緯度・経度、高度などの、地図情報上の１点を特定する情報である。
【００７１】
各種センサ４１５は、車速センサや加速度センサ、角速度センサなどを含み、車両の位置や挙動を判断することが可能な情報を出力する。各種センサ４１５の出力値は、ＣＰＵ４０１による車両の現在地点の算出や、速度や方位の変化量の測定などに用いられる。
【００７２】
また、各種センサ４１５は、通信Ｉ／Ｆ４１３によって受信される、地上波デジタル放送やアナログテレビ放送やＦＭラジオ放送などのコンテンツの受信感度を検知するセンサを含む構成でもよい。受信感度は、たとえば、コンテンツを配信する電波の受信強度（レベル）や通信の品質などである。
【００７３】
なお、本実施例では、車両に搭載されたナビゲーション装置４００による例について説明するが、利用者の携帯端末などによって本発明の中継局切換装置を実施するようにしてもよい。
【００７４】
なお、図１に示した報知装置１００が備える検出部１０１、算出部１０２、報知部１０３、取得部１０４、検知部１０５は図４に示したナビゲーション装置４００におけるＲＯＭ４０２、ＲＡＭ４０３、磁気ディスク４０５、光ディスク４０７などに記録されたプログラムやデータを用いて、ＣＰＵ４０１が所定のプログラムを実行し、ナビゲーション装置４００における各部を制御することによってその機能を実現する。
【００７５】
すなわち、本実施例のナビゲーション装置４００は、ナビゲーション装置４００おける記録媒体としてのＲＯＭ４０２に記録されているプログラムを実行することにより、図１に示した報知装置１００が備える機能を、図２に示した手順で実行することができる。
【００７６】
（受信状態バーの概要）
ここで、図５を用いて、本実施例にかかるナビゲーション装置４００における受信状態バーの一例について説明する。図５は、本実施例にかかるナビゲーション装置における受信状態バーの一例を示す説明図である。
【００７７】
図５において、受信状態バー５００は、中継局によって中継されるテレビ番組５０１の受信感度５０２，５０３，５０４を示す情報であり、具体的には、たとえば、図４に示したナビゲーション装置４００によって設定された経路において、図３に示した任意の中継局３０２ｂによって中継されるテレビ番組５０１の受信感度５０２，５０３，５０４をそれぞれ示している。
【００７８】
より具体的には、たとえば、受信状態バー５００は、図４に示したナビゲーション装置４００によって設定された経路上における出発地点からの距離と、各受信感度５０２，５０３，５０４を示す区間への到達予定時刻および地点情報を示す情報である。
【００７９】
図５の説明では、受信感度５０２から順に、受信感度５０３、受信感度５０４と低くなっている。また、図５の説明では、各受信感度５０２，５０３，５０４に応じて区間の濃淡を変えて示しているが、×印などや色の相違などによって区別することとしてもよいし、図４に示したナビゲーション装置４００を搭載した車両の現在地点をあわせて示すこととしてもよい。さらに、図５の説明では、図４に示したナビゲーション装置４００によって設定された経路上における出発地点からの距離を横バーを用いて示したが、地図上の経路に各受信感度５０２，５０３，５０４を示すこととしてもよい。
【００８０】
また、テレビ番組５０１の内容を取得できる構成であれば、テレビ番組の内容をあわせて示すこととしてもよい。具体的には、たとえば、ＥＰＧ（Ｅｌｅｃｔｒｏｎｉｃ  Ｐｒｏｇｒａｍ  Ｇｕｉｄｅ）を取得して、そのＥＰＧから得られる番組の開始時間や終了時間からオープニングやエンディングの区間などをあわせて示すこととしてもよい。そうすることで、たとえば、ドラマ番組のエンディングの区間と受信感度が低くなる区間とが一致することなどが事前に確認できることになり、そのエンディングを受信感度が低くならない状態にて視聴したいと欲した場合には、受信感度が低くなる区間に到達する前に停止することなどして受信状況が良好のままエンディングを視聴することが可能となる。
【００８１】
このような受信状態バー５００の出力を確認することによって、利用者は、テレビ番組の受信感度を容易かつ的確に判断し、適切な対応を心がけることができる。
【００８２】
さらに、実際の車両の走行と、各受信感度５０２，５０３，５０４の状況が相違してしまった場合に、テレビ番組の終了後などにその旨を報知するメッセージを出力することとしてもよい。このようにすれば、受信状態バー５００と実際との相違によって、利用者は、戸惑いや不快感を抱くことがない。
【００８３】
（ナビゲーション装置４００の処理の内容）
つぎに、図６を用いて、本実施例にかかるナビゲーション装置４００の処理の内容について説明する。図６は、本実施例にかかるナビゲーション装置の処理の内容を示すフローチャートである。図６のフローチャートにおいて、まず、ＣＰＵ４０１によって、目的地点までの経路が設定されたか否かを判断する（ステップＳ６０１）。目的地点までの経路は、たとえば、利用者が入力デバイス４１０などを操作して入力される目的地点および出発地点と、地図情報などに応じて設定される。
【００８４】
ステップＳ６０１において、目的地点までの経路が設定されるのを待って、設定された場合（ステップＳ６０１：Ｙｅｓ）は、入力デバイス４１０によって、テレビ番組の再生開始指示を受け付けたか否かを判断する（ステップＳ６０２）。テレビ番組の再生開始指示は、たとえば、利用者が入力デバイス４１０を操作することによって受け付けることとしてもよい。
【００８５】
ステップＳ６０２において、再生開始指示を受け付けない場合（ステップＳ６０２：Ｎｏ）は、そのまま一連の処理を終了し、再生開始指示を受け付けた場合（ステップＳ６０２：Ｙｅｓ）は、ＣＰＵ４０１によって算出される受信感度に基づいて、ディスプレイ４１２によって、受信状態バーを表示する（ステップＳ６０３）。
【００８６】
具体的には、たとえば、図５に示した受信状態バー５００を表示する構成でもよく、ステップＳ６０１において設定された経路において、ＣＰＵ４０１によって算出される、ステップＳ６０２において再生開始指示を受け付けたテレビ番組の受信感度５０２，５０３，５０４を示すこととなる。このように、あらかじめ受信状態バー５００を表示することによって、利用者は、走行する経路について受信感度の状況を容易に把握することができる。
【００８７】
そして、各種センサ４１５によって、ステップＳ６０２において再生開始指示を受け付けたテレビ番組を中継可能な中継局に、受信感度が高い中継局があるか否かを判断する（ステップＳ６０４）。具体的には、たとえば、受信感度が高い中継局に関する判断は、各種センサ４１５によって、ステップＳ６０２において再生開始指示を受け付けたテレビ番組を中継する中継局３０２ｂの受信感度よりも、他の中継局３０２ａの受信感度が高いか否かを判断する構成でもよい。
【００８８】
ステップＳ６０４において、受信感度が高い中継局がない場合（ステップＳ６０４：Ｎｏ）は、ステップＳ６０９へ移行して処理をおこなう。
【００８９】
また、ステップＳ６０４において、受信感度が高い中継局がある場合（ステップＳ６０４：Ｙｅｓ）は、ディスプレイ４１２によって、中継局の切換を促すメッセージなどの案内情報を表示する（ステップＳ６０５）。中継局の切換を促すメッセージは、たとえば、スピーカ４０９によって出力する構成でもよく、テレビ番組中の特定場面に応じておこなうこととしてもよい。また、中継局の切換を促すメッセージは、たとえば、テレビ番組の画質が著しく悪化することが前もって分かる場合には、その旨を表示することとしてもよい。
【００９０】
そして、ＣＰＵ４０１によって、ステップＳ６０５において中継局の切換を促すメッセージが出力された結果、テレビ番組を中継する中継局を切り換えるか否かを判断する（ステップＳ６０６）。
【００９１】
中継局を切り換えるか否かの判断は、たとえば、利用者が入力デバイス４１０を操作することによっておこなうこととしてもよい。また、ステップＳ６０３における受信状態バーの表示によって、あらかじめ中継局を切り換える地点を把握していれば、利用者は、スムーズに的確な判断をおこなうことができる。
【００９２】
ステップＳ６０６において、中継局を切り換える場合（ステップＳ６０６：Ｙｅｓ）は、ＣＰＵ４０１によって、テレビ番組を中継する中継局を切り換える（ステップＳ６０７）。
【００９３】
また、ステップＳ６０６において、中継局を切り換えない場合（ステップＳ６０６：Ｎｏ）は、ＣＰＵ４０１によって生成される経路誘導情報によって、受信感度のよい地点で停車を案内する（ステップＳ６０８）。受信感度のよい地点は、たとえば、付近の停車スペースや、高速道路を走行中であればサービスエリアやパーキングエリアなどでもよい。
【００９４】
そして、入力デバイス４１０によって、テレビ番組の再生終了指示を受け付けたか否かを判断する（ステップＳ６０９）。テレビ番組の再生終了指示は、たとえば、利用者が入力デバイス４１０を操作することによって受け付けることとしてもよい。また、ナビゲーション装置４００を搭載した車両のエンジンの停止によって、再生終了指示を受け付けることとしてもよい。
【００９５】
ステップＳ６０９において、再生終了指示を受け付けない場合（ステップＳ６０９：Ｎｏ）は、ステップＳ６０４へ戻って処理を繰り返し、再生終了指示を受け付けた場合（ステップＳ６０９：Ｙｅｓ）は、そのまま一連の処理を終了する。なお、図６のフローチャートでは、再生終了指示を受け付けない場合（ステップＳ６０９：Ｎｏ）は、ステップＳ６０４へ戻って処理を繰り返すこととしたが、ステップＳ６０３へ戻って、受信状態バーを表示する構成としてもよい。
【００９６】
なお、図６のフローチャートでは説明を省略するが、ステップＳ６０３における受信状態バーの表示は、ステップＳ６０２において再生開始指示を受け付けたテレビ番組中におこなうこととしてもよく、特定場面に応じておこなうこととしてもよい。
【００９７】
また、図６のフローチャートでは説明を省略したが、ステップＳ６０６における中継局を切り換えるか否かの判断は、たとえば、ステップＳ６０２において再生開始指示を受け付けたテレビ番組中の特定場面が再生されている場合に中継局を切り換えることと判断する。このようにすれば、利用者が重要な場面を見逃すことなく、適切に中継局を切り換えることができる。また、再生されているテレビ番組が再生不能（視聴が困難）な場合には、特定場面に関わらず中継局を切り換えると判断することとしてもよい。
【００９８】
以上説明したように、本実施例によれば、受信状態バーによって受信感度を報知することができるため、利用者は、走行中の受信感度を想定して、適切な対応を心がけることができる。
【００９９】
また、受信状態バーは、経路上における出発地点からの距離や各地点への到達予定時刻や再生するテレビ番組の内容などともに表示することができるため、利用者は、走行中の受信感度を容易かつ的確に把握することができる。
【０１００】
さらに、中継局の切換を促すメッセージなどの案内情報を適切なタイミングで出力して利用者に報知することができるため、利用者によって的確に判断されたタイミングで中継局の切換をおこなうことができる。
【０１０１】
また、テレビ番組の特定場面に受信状態バーや案内情報を表示する構成であるため、利用者の重要な場面の視聴を阻害することなく、利用者に、快適なテレビ番組の視聴を促すことができる。さらに、利用者が、中継局の切換をおこなわないと判断した場合であっても、受信感度の高い地点を案内することができるため、利用者は、快適なテレビ番組の視聴を継続することができる。
【０１０２】
なお、本実施の形態で説明した報知方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【０１０３】
【図１】本実施の形態にかかる報知装置の機能的構成の一例を示すブロック図である。
【図２】本実施の形態にかかる報知装置の処理の内容を示すフローチャートである。
【図３】本実施例にかかるテレビ番組の中継の概要を示す説明図である。
【図４】本実施例にかかるナビゲーション装置のハードウェア構成の一例を示すブロック図である。
【図５】本実施例にかかるナビゲーション装置における受信状態バーの一例を示す説明図である。
【図６】本実施例にかかるナビゲーション装置の処理の内容を示すフローチャートである。
【符号の説明】
【０１０４】
１００  報知装置
１０１  検出部
１０２  算出部
１０３  報知部
１０４  取得部
１０５  検知部
【図１】
2008158783.tif 000003
【図２】
2008158783.tif 000004
【図３】
2008158783.tif 000005
【図４】
2008158783.tif 000006
【図５】
2008158783.tif 000007
【図６】
2008158783.tif 000008